(57)【要約】【課題】    家庭や小さな店舗等において手軽に用いることができる生ゴミを圧縮し脱水することができる生ゴミの脱水装置を提供する。【解決手段】一端側に底部と、側面に生ゴミを受け入れる開口と、加圧水が流入する流入口と、生ゴミから搾られた水分を外部に排出する排出孔と、を有する筒状のハウジングと、該ハウジングの他端側と一端側との間で所定の方向に沿ってスライド自在に該ハウジングの内部空間に配設され生ゴミを押圧するスライド部と、該流入口からの加圧水の水圧により該スライド部を該底部に近づく方向に押しスライドさせる駆動手段と、を備えてなる、生ゴミの脱水装置である。【選択図】  図３
2006314909.tif 000002
【特許請求の範囲】
【請求項１】
一端側に底部と、側面に生ゴミを受け入れる開口と、加圧水が流入する流入口と、生ゴミから搾られた水分を外部に排出する排出孔と、を有する筒状のハウジングと、
該ハウジングの他端側と一端側との間で所定の方向に沿ってスライド自在に該ハウジングの内部空間に配設され生ゴミを押圧するスライド部と、
該流入口からの加圧水の水圧により該スライド部を該底部に近づく方向に押しスライドさせる駆動手段と、
を備えてなる、生ゴミの脱水装置。
【請求項２】
前記スライド部が、前記ハウジングの内部空間を仕切るように前記ハウジングの内面に密接した状態でスライドするものであり、前記ハウジングの内部空間を仕切ることで前記スライド部の前記他端側に密閉空間が形成され、
前記駆動手段が該密閉空間を有してなり、前記流入口からの加圧水が該密閉空間に注入されることで前記スライド部を前記底部に近づく方向に押しスライドさせるものである、請求項１に記載の脱水装置。
【請求項３】
前記ハウジングの内面を形成する前記底部の面である内底面が、前記開口に近づくにつれて前記他端側に近づくような傾斜を有するものである、請求項１又は２に記載の脱水装置。
【請求項４】
前記所定の方向に対する前記内底面の傾斜角度が、４５度〜８６度である、請求項３に記載の脱水装置。
【請求項５】
前記スライド部を前記他端側に付勢する付勢手段を有するものである、請求項１乃至４のいずれか１に記載の脱水装置。
【発明の詳細な説明】
【技術分野】
【０００１】
本発明は、生ゴミの脱水装置に関し、より詳細には、家庭や小さな店舗等においても手軽に用いることができる生ゴミを圧縮し脱水することができる脱水装置に関する。
【背景技術】
【０００２】
生ゴミは、野菜くず、食べ残しなど、台所から出る水分を含んだごみをいい、家庭や飲食物を提供する店舗（例えば、食堂やレストラン等）等から排出される。
通常、生ゴミは、多量の水分を含むと共に嵩高いことから、取り扱いを容易にする等のために圧縮することで脱水されることが多い。このような生ゴミの圧縮脱水のための装置もいくつか発明されている（例えば、特許文献１参照）。
【０００３】
特許文献１には、「スクリュー脱水機を用いて生ゴミの脱水処理を行わせる生ゴミの圧縮処理装置において、生ゴミによる排出口の詰まりを急速に解消させる」（特許文献１中の要約書の課題）ことができる生ゴミの圧縮脱水装置に関するものであり、具体的には「生ゴミを移送するスクリューを囲んで、多数の脱水孔をそなえたスクリーン筒と、スクリーン筒の排出口にヒンジで取り付けた押さえ蓋と、この押さえ蓋のヒンジ側に一方端を取り付けたレバーをそなえ、前記レバーの他方端に連結した索条を介して吊持され、押さえ蓋を排出口に押し付けるようにした基準重りと付加重りを設け、スクリューの過負荷信号により前記付加重りを持ち上げるリフターをそなえたことを特徴とする生ゴミの圧縮処理装置」（特許文献１中の請求項１）が開示されている。
【０００４】
【特許文献１】特開２００４−３４４９６０号公報（例えば、請求項１、要約書の課題及び解決手段等）
【発明の開示】
【発明が解決しようとする課題】
【０００５】
しかしながら、特許文献１に記載の生ゴミの圧縮処理装置では、スクリュー、押さえ蓋及びレバー等といった複雑かつ多くの部品を要することから、装置がいきおい高価かつ大形になり、家庭や小さな店舗等において手軽に用いることができるものではなかった。
そこで、本発明においては、家庭や小さな店舗等において手軽に用いることができる生ゴミを圧縮し脱水することができる生ゴミの脱水装置を提供することを目的とする。
【課題を解決するための手段】
【０００６】
本発明の生ゴミの脱水装置（以下、「本装置」という。）は、一端側に底部と、側面に生ゴミを受け入れる開口と、加圧水が流入する流入口と、生ゴミから搾られた水分を外部に排出する排出孔と、を有する筒状のハウジングと、該ハウジングの他端側と一端側との間で所定の方向に沿ってスライド自在に該ハウジングの内部空間に配設され生ゴミを押圧するスライド部と、該流入口からの加圧水の水圧により該スライド部を該底部に近づく方向に押しスライドさせる駆動手段と、を備えてなる、生ゴミの脱水装置である。
【０００７】
本装置は、筒状のハウジングと、ハウジングの内部空間に配設されるスライド部と、スライド部をスライドさせる駆動手段と、を備えている。
筒状のハウジングは、中空の内部空間を有し、該内部空間を外部と仕切る底部を一端側に有する。筒状のハウジングの内部空間は、所定の軸に対して垂直な断面における形状が変化しない（同じ）部分を有するものであってもよく、例えば、円柱、楕円柱、ｎ角柱（ただし、ｎは３、４、５、６、・・・のように３以上の整数）等のものを例示することができる。そして、ハウジングは、それが形成する筒状の側面に生ゴミを受け入れる開口と、加圧水が流入する流入口と、生ゴミから搾られた水分を外部に排出する排出孔と、を有する。
スライド部は、ハウジングの内部空間に配設されると共に、ハウジングの他端側と一端側との間で所定の方向に沿ってスライド自在になっており、生ゴミを押圧する。
駆動手段は、ハウジングの流入口からの加圧水の水圧により、スライド部をハウジングの底部に近づく方向に押しスライドさせる。
【０００８】
このような本装置によれば、ハウジングの開口から生ゴミをハウジングの内部空間に装入し、ハウジングの流入口から加圧水を流入させることで、駆動手段が加圧水の水圧によりスライド部をハウジングの底部（ハウジングの一端側に存する。）に近づく方向（即ち、ハウジングの一端側方向）に押しスライドさせるので、ハウジングの内部空間に存する生ゴミはスライド部により押圧され（スライド部とハウジングの底部との間に挟まれ圧縮される。）、生ゴミに含まれる水分が搾られる。このとき生ゴミから搾られた水分は、ハウジングに形成された排出孔からハウジング外部に排出される。
なお、ハウジングの流入口から流入させる加圧水としては、生ゴミから水分を所望程度搾ることができるものであればいかなるものであってもよく何ら制限されないが、上水道水を用いれば、水圧を上げるポンプ等のような格別の装置を要することなく本装置を用いることができる。また、前述のように、生ゴミは台所から通常出るものであり、生ゴミを圧縮脱水する本装置は台所に設置されることが多いことから考えても、台所に通常供給されている上水道水を用いるようにすれば極めて便利に本装置を使用することができる。
【０００９】
前記スライド部が、前記ハウジングの内部空間を仕切るように前記ハウジングの内面に密接した状態でスライドするものであり、前記ハウジングの内部空間を仕切ることで前記スライド部の前記他端側に密閉空間が形成され、前記駆動手段が該密閉空間を有してなり、前記流入口からの加圧水が該密閉空間に注入されることで前記スライド部を前記底部に近づく方向に押しスライドさせるものであってもよい。
スライド部がハウジングの内部空間を仕切るようにハウジングの内面に密接した状態でスライドすることで、ハウジングがシリンダーとして、スライド部が該シリンダー内を往復するピストンとして機能する。そして、ハウジングの内部空間を仕切ることでスライド部の前記他端側に形成された密閉空間に、流入口からの加圧水を注入することでスライド部を前記底部に近づく方向（ハウジングの一端側方向）に押しスライドさせるので、スライド部とハウジングとにより駆動手段の密閉空間を形成することができ、駆動手段を別個に形成するのに比して本装置を容易に構成することができる（部品等の減少により軽量化、製造コスト減少、故障減少等を図ることができる。）。
【００１０】
前記ハウジングの内面を形成する前記底部の面である内底面が、前記開口に近づくにつれて前記他端側に近づくような傾斜を有するものであってもよい。
こうすることでハウジングの内部空間に存する生ゴミがスライド部によりハウジング底部に向けて押圧され水分が搾られる際（生ゴミはスライド部とハウジングの底部（内底面）との間に挟まれ圧縮される。）、スライド部による押圧力により生ゴミには開口から遠ざかる方向に力が加わるので、生ゴミが開口から不意に飛び出したり噴き出したりすることを減少又は防止することができる。
なお、「内底面が、開口に近づくにつれて前記他端側に近づくような傾斜を有する」とは、まず、内底面の重心Ｇ１（内底面の単位面積当たりの質量（（質量／内底面面積）の値）が内底面のいずれの場所においても同じであると仮定した場合の内底面の重心）と、開口の重心Ｇ２（開口を規定する開口の縁部に柔軟で薄いゴム膜をはりつめた状態（十分な張力を保った状態）で張り付け、ゴム膜によって開口を塞いだ場合、該ゴム膜の単位面積当たりの質量（（質量／ゴム膜の面積）の値）がゴム膜のいずれの場所においても同じであると仮定したときの開口を塞いだゴム膜の部分の重心）と、の２点（Ｇ１、Ｇ２）を通り、かつスライド部がハウジングの内部空間においてスライドする前記所定の方向に対して平行な平面による断面において、開口の重心Ｇ２から最も近い内底面の点である最近点Ｇ３と内底面の重心Ｇ１とを結ぶ線分Ｌ１と前記所定の方向に対して平行な直線Ｌ２（スライド部がハウジングの内部空間においてスライドする前記所定の方向に対して平行な直線）とがなす角（該角が、本発明にいう「前記所定の方向に対する前記内底面の傾斜角度」である。）を考える。この角（本発明にいう「前記所定の方向に対する前記内底面の傾斜角度」）は、該断面上においてｘ軸ｙ軸の２軸直交軸を考え、直線Ｌ２上にｘ軸をとり（なお、一端方向がｘ軸負方向、他端方向がｘ軸正方向とする。）、原点（ｘ，ｙ）＝（０，０）を内底面の重心Ｇ１としたとき（なお、開口の重心Ｇ２がｙ軸の正領域に存する。）、線分Ｌ１がｘ軸の０以上の部分（ｘが０以上）に対してなす角（ｘ軸の０以上の部分を原点（ｘ，ｙ）＝（０，０）のまわりに反時計方向にまわして線分Ｌ１に重なるまでにまわす角度をいう。０度より大きく１８０度より小さい。）をいう。「内底面が、開口に近づくにつれて前記他端側に近づくような傾斜を有する」とは、この角（前記所定の方向に対する前記内底面の傾斜角度）が、０度より大きくかつ９０度より小さいことをいうが、生ゴミの開口からの不意の飛び出しや噴出を有効に減少等させると共に生ゴミがスライド部によりうまく水分が搾られるようにするには、この角は、好ましくは４５度以上とされ、より好ましくは６０度以上とされ、最も好ましくは７０度以上とされ、そして好ましくは８６度以下とされ、より好ましくは８３度以下とされ、最も好ましくは８０度以下とされる。
【００１１】
前記スライド部を前記他端側に付勢する付勢手段を有するものであってもよい。
こうすることでハウジングの流入口から加圧水を流入させ、駆動手段が加圧水の水圧によりスライド部をハウジングの底部に近づく方向に押しスライドさせることで、ハウジングの内部空間に存する生ゴミの水分を搾った後、ハウジングの流入口に加圧水の供給を止めれば（加圧水の加圧をやめ減圧する等）、付勢手段がスライド部を他端側に付勢することによりスライド部を他端側に容易に戻すことができる。このためスライド部を他端側に戻した後、圧縮して水分を搾った生ゴミをハウジングの内部空間から取り出し、再び、ハウジングの開口から生ゴミをハウジングの内部空間に装入し、ハウジングの流入口から加圧水を流入させ、スライド部をハウジングの底部に近づく方向（ハウジングの一端側方向）に押しスライドさせることにより、ハウジングの内部空間に存する生ゴミを搾ることができる（特に、生ゴミを次々搾る場合に便利である。）。
なお、付勢手段としては、スライド部を前記他端側に付勢するものであればいかなるものであってもよく何ら限定されるものではないが、例えば、スライド部を付勢するバネ（つるまきバネ、板バネ、空気バネ等）、空気や油等のような流体により駆動されるシリンダ、ゴム等を例示することができる。
【発明を実施するための最良の形態】
【００１２】
以下、本発明の実施の形態を図面を参照して説明する。しかしながら、これらによって本発明は何ら制限されるものではない。
【００１３】
図１は、本発明の生ゴミの脱水装置（本装置）１１を示す平面図である。図２は、本装置１１を示す右側面図（図１中、矢印Ａ方向から見たところを示している。）である。そして、図３は、図１のＢ−Ｂ断面図（図２中にも断面位置をＢ−Ｂとして示した。）である。図１乃至図３を参照して、本装置１１について説明する。
本装置１１は、大まかには、略直円筒形状をしたハウジング２１と、ハウジング２１の内部空間２１ａに配設されたスライド部３１と、スライド部３１を付勢する付勢部４１と、を備えている。なお、図２及び図３中、上を矢印Ｆにて、下を矢印Ｇにて、それぞれ示した。
【００１４】
ハウジング２１は、略直円柱形状の内部空間２１ａを有する略直円柱形状をしたハウジング本体２３と、ハウジング本体２３の側面に形成された開口２３ｈの周囲を取り囲む漏斗状に形成された案内部２５と、ハウジング本体２３の他端側を塞ぐ主表面が略長方形をした閉塞板２７と、を有してなる。ハウジング本体２３の一端側は底部２３ａにより塞がれると共に、他端側は閉塞板２７により塞がれている。なお、図１及び図３中、一端側を矢印Ｃにより、そして他端側を矢印Ｄにより、それぞれ示した（矢印Ｃ及び矢印Ｄは、ハウジング本体２３が形成する直円柱の軸とここでは平行である。）。
ハウジング本体２３は、一端側（矢印Ｃ側）に底部２３ａを有する有底無蓋の略直円柱形状をしており、他端側（矢印Ｄ側）には、閉塞板２７を取り付けるための取付ボルト２２の軸部が嵌入される雌ねじが形成された雌ねじ部２３ｂが形成されている。ハウジング本体２３の側面（ここではハウジング本体２３が形成する直円柱の側面）には、図示しない生ゴミを受け入れる開口２３ｈが形成されている。そして、ハウジング本体２３の側面のうち一端側（矢印Ｃ側）には、図示しない生ゴミから搾られた水分を外部に排出する排出孔２３ｋが複数形成されている（図３参照）。排出孔２３ｋそれぞれは、内部空間２１ａと外部空間８１とを連通するように穿設されている（なお、図示を容易にする等のために、図１中の排出孔２３ｋの図示は省略している。）。
【００１５】
閉塞板２７は、両主表面が略長方形（ここではほぼ正方形）をしたやや肉厚の板状部材から形成された閉塞部材２７ａと、上水道水が供給される蛇口（図示せず）に一端がつながれたゴム製のホース（図示せず）の他端がつながれる流路形成部２７ｂと、を有している。閉塞部材２７ａは、ハウジング本体２３の雌ねじ部２３ｂに一方の主表面が面するように複数の取付ボルト２２によって取り付けられている。閉塞板２７の主表面が形成する略長方形（ここではほぼ正方形）の４辺のうち、開口２３ｈから最も遠い１辺（図２中、辺Ｅとして示した。）が略水平な上面（例えば、台所の流しの上面や、テーブル上面等）に沿うように本装置１１が該上面に載置されることで、開口２３ｈが上方を向くように（即ち、図２及び図３のように）配設され、図示しない生ゴミが開口２３ｈを経て内部空間２１ａに容易に投入できるようになる。そして、流路形成部２７ｂは、該ホース（図示せず）の他端がつながれ該他端と内部空間２１ａとを連通させる流路を形成する流路部２７ｂ１と、流路部２７ｂ１における連通を断続等させる３方コック部２７ｂ２と、を有している。３方コック部２７ｂ２は、手で把持して操作可能なレバーを有しており、レバーを回動させることで（１）該流路を連通させることで該ホース（図示せず）の他端と内部空間２１ａとを連通させると共に内部空間２１ａと外部空間８１との間を絶縁させる状態、（２）該流路の連通を断つことで該ホース（図示せず）の他端と内部空間２１ａとの連通を禁止すると共に内部空間２１ａと外部空間８１との間を絶縁させる状態、（３）該流路の連通を断つことで該ホース（図示せず）の他端と内部空間２１ａとの連通を禁止すると共に内部空間２１ａと外部空間８１との間を連通させる状態、の３つの状態を自由に選択できるようになっている。
案内部２５は、ハウジング本体２３の側面に形成された開口２３ｈの周囲を取り囲むように漏斗状に形成されているが、該漏斗は上方から下方に向かって窄まっており、該漏斗の下端は開口２３ｈに連通している。このため開口２３ｈが上方を向くように本装置１１が配設された状態では、上方から案内部２５に向けて図示しない生ゴミが投入されると、該生ゴミは確実に開口２３ｈを経て内部空間２１ａに進入する。
【００１６】
スライド部３１（特に、図３を参照されたい）は、ハウジング２１により形成されるシリンダー内（内部空間２１ａ）を往復するピストンとして機能するものであるが、内部空間２１ａが形成する直円柱形状の半径とほぼ同じ（若干小さい）半径を有する円盤状の円盤部３１ａと、円盤部３１ａによって一端が塞がれた中空の直円筒（内部空間２１ａが形成する直円柱形状の半径よりもやや小さい半径を有する。）形状をしたスカート部３１ｂと、を有している。なお、円盤状の円盤部３１ａの主表面は、内部空間２１ａが形成する直円柱の軸に対して略垂直になるように、そしてスカート部３１ｂが形成する直円筒の軸は、内部空間２１ａが形成する直円柱の軸に対して略平行（ここではスカート部３１ｂが形成する直円筒の軸と、円盤部３１ａの中心と、内部空間２１ａが形成する直円柱の軸と、は一直線上に略存するようにされている。）になるようにされている。このようなスライド部３１は、ハウジング２１の他端側（矢印Ｄ側）と一端側（矢印Ｃ側）との間で所定の方向（ここでは内部空間２１ａが形成する直円柱の軸）に沿ってスライド自在になっており、後述のように生ゴミを押圧する（図３中、一点鎖線にて示したスライド部３１ｍは、スライド部３１がハウジング２１の最も一端側（矢印Ｃ側）に移動したところを示している。スライド部３１ｍは、スライド部ストッパー２４にスライド部３１ｍが当接することで、それ以上の一端側（矢印Ｃ側）への移動が禁止されている。）。
また、スライド部３１は、内部に金属で形成された骨材（図３中では黒い部分）と、骨材を覆い取り囲むように配置されたゴム材と、を有してなり、主として骨材により十分な強度を確保すると共に、表面がゴム材により覆われていることから水分や酸等による腐食に十分耐えることができるようになっている。
なお、スカート部３１ｂは、他端（矢印Ｄ側の端）と一端（矢印Ｃ側の端）とそれぞれにハウジング本体２３内壁に向けて突出するように形成された突出輪部３１ｂａ、３１ｂｂを有するが、この突出輪部３１ｂａ、３１ｂｂはハウジング本体２３内壁に密接することでスライド部３１とハウジング本体２３内壁との間の液密性を向上させている（即ち、これら突出輪部３１ｂａ、３１ｂｂは、ピストンリングのようにはたらく。）。
【００１７】
付勢部４１は、スライド部３１のスライド方向（ここでは内部空間２１ａが形成する直円柱の軸）に伸縮方向が向くように配設されたつるまきバネ４１ｂ（引張バネ）と、つるまきバネ４１ｂの一端をスライド部３１に取り付ける一端取付部４１ａ（ボルトナットにて構成されている。）と、つるまきバネ４１ｂの他端をハウジング２１（閉塞板２７）に取り付ける他端取付部４１ｃ（ボルトナットにて構成されている。）と、を有してなる。付勢部４１は、スライド部３１がハウジング２１の内部空間２１ａの他端近傍（矢印Ｄ側の端近傍）に位置している場合（図３中に示したスライド部３１の位置）、スライド部３１に力をほとんど加えないが、その位置からスライド部３１が一端側（矢印Ｃ側）に移動するとつるまきバネ４１ｂが引き伸ばされることでスライド部３１に他端側（矢印Ｄ側）方向の力を加える。
【００１８】
図４は、本装置１１におけるハウジング２１の内面（内部空間２１ａを規定する面）を形成する底部２３ａの面である内底面２３ａｐの傾斜角度（前記所定の方向に対する前記内底面の傾斜角度）について説明する図である。図４を参照して、内底面２３ａｐの傾斜角度について説明する。図４は、内底面２３ａｐの重心Ｇ１と開口２３ｈの重心Ｇ２との２点（Ｇ１、Ｇ２）を通り、かつスライド部３１がハウジング２１の内部空間２１ａにおいてスライドする前記所定の方向（ここでは内部空間２１ａが形成する直円柱の軸）に対して平行な平面による断面を示している。図４に示されたかかる断面において、開口の重心Ｇ２から最も近い内底面２３ａｐの点である最近点Ｇ３と内底面２３ａｐの重心Ｇ１とを結ぶ線分Ｌ１を考える。そして、前記所定の方向（ここでは内部空間２１ａが形成する直円柱の軸）に対して平行な直線Ｌ２（スライド部３１がハウジング２１の内部空間２１ａにおいてスライドする前記所定の方向に対して平行な直線）上にｘ軸をとり（一端方向（矢印Ｃ方向）がｘ軸負方向、他端方向（矢印Ｄ方向）がｘ軸正方向）、内底面２３ａｐの重心Ｇ１を原点（ｘ，ｙ）＝（０，０）としたものである。そして、開口２３ｈの重心Ｇ２がｙ軸の正領域に存するように、ｘ軸ｙ軸の２軸直交軸を定めている。
このとき線分Ｌ１がｘ軸の０以上の部分（ｘが０以上）に対してなす角ａｎｇ（ｘ軸の０以上の部分を原点（ｘ，ｙ）＝（０，０）のまわりに反時計方向にまわして線分Ｌ１に重なるまでにまわす角度をいう。０度より大きく１８０度より小さい。）が、本発明にいう「前記所定の方向に対する前記内底面の傾斜角度」であり、本装置１１においては角ａｎｇ＝７５度である。
【００１９】
最後に簡単に本装置１１の使用方法の一例について説明しておく。
図５は、本装置１１の使用方法の第１ステップを示す断面図である（図３と同様の断面位置である。）。まず、ハウジング２１の内部空間２１ａに、図示しない生ゴミを収容する網目状のゴミ袋９１をセットする。網目状のゴミ袋９１は、収容する生ゴミから搾られた水分が外部に十分流出できる程度の網目の大きさ及び個数（密度）を有するプラスチック製のゴミ袋を用いている。なお、ゴミ袋９１の開口縁部が、案内部２５が形成する漏斗状の上縁部分に係合させるように折り返されており、これによりハウジング２１の内部空間２１ａにゴミ袋９１が不意に落下することを防止している。また、本装置１１は、台所の流し（水を溜めて野菜や食器等を洗浄することができるようになった凹部分）に配設しており、本装置１１から水分が流出しても周囲の汚れが問題にならない。そして、ここでは図示していないが、流路形成部２７ｂの流路部２７ｂ１には、上水道水が供給される蛇口（図示せず）に一端がつながれたゴム製のホース（図示せず）の他端がつながれている。なお、このときは３方コック部２７ｂ２は、上記（３）前記流路の連通を断つことで該ホース（図示せず）の他端と内部空間２１ａとの連通を禁止すると共に内部空間２１ａと外部空間８１との間を連通させる状態になるように操作されている。
【００２０】
図６は、本装置１１の使用方法の第２ステップを示す断面図である（図３及び図５と同様の断面位置である。）。図５に示したようにゴミ袋９１をセットした本装置１１に生ゴミ９５を装入する。生ゴミ９５は、案内部２５が形成する漏斗状の上縁部分に開口縁部が係合したゴミ袋９１に上方から投入されることで、ハウジング２１の内部空間２１ａに存するゴミ袋９１内部に収容されている。この第２ステップは、所望量の生ゴミ９５がゴミ袋９１内部に収容されるまで行われる。
図６に示した本装置１１の使用方法の第２ステップの後、本装置１１の使用方法の第３ステップとして、スライド部３１をハウジング２１の一端側（矢印Ｃ側）に移動させ、ゴミ袋９１内部に収容されている生ゴミ９５を押圧することで水分を搾る。具体的には、３方コック部２７ｂ２を、上記（１）前記流路を連通させることで前記ホース（図示せず）の他端と内部空間２１ａとを連通させると共に内部空間２１ａと外部空間８１との間を絶縁させる状態に操作し、加圧された上水道水をハウジング２１の内部空間２１ａ（ハウジング２１の内部空間２１ａのうちスライド部３１の前記他端側（矢印Ｄ側）に形成される密閉空間９９）に流入させることで、スライド部３１をハウジング２１の一端側（矢印Ｃ側）に移動させる。このスライド部３１の移動によりゴミ袋９１内部に収容されている生ゴミ９５は押圧され水分が搾られ、搾られた水分はゴミ袋９１の網目からゴミ袋９１外部に流出する。そして、ゴミ袋９１外部に流出した水分は、さらに排出孔２３ｋからハウジング２１外部に排出される。なお、このとき３方コック部２７ｂ２を、上記（１）の状態にしてハウジング２１の内部空間２１ａ（ハウジング２１の内部空間２１ａのうちスライド部３１の前記他端側（矢印Ｄ側）に形成される密閉空間９９）の圧力を十分高めた後は、上記（２）前記流路の連通を断つことで該ホース（図示せず）の他端と内部空間２１ａとの連通を禁止すると共に内部空間２１ａと外部空間８１との間を絶縁させる状態にしておけば、上水道水が供給される蛇口（図示せず）から加圧された上水道水を供給し続けなくても、生ゴミ９５が押圧され水分が搾られる状態を保つことができる。
【００２１】
第３ステップにて生ゴミ９５を押圧し水分を搾った後、第４ステップとしてスライド部３１をハウジング２１の他端側（矢印Ｄ側）に移動させ、ゴミ袋９１内部に収容されている生ゴミ９５をゴミ袋９１ごと取り出す。具体的には、３方コック部２７ｂ２を、上記（３）前記流路の連通を断つことで該ホース（図示せず）の他端と内部空間２１ａとの連通を禁止すると共に内部空間２１ａと外部空間８１との間を連通させる状態に操作する。第３ステップにおいてハウジング２１の一端側（矢印Ｃ側）に移動したスライド部３１には、付勢部４１が他端側（矢印Ｄ側）方向の力を加えているので、ハウジング２１の内部空間２１ａ（ハウジング２１の内部空間２１ａのうちスライド部３１の前記他端側（矢印Ｄ側）に形成される密閉空間９９）に存する上水道水はスライド部３１により押されることで、３方コック部２７ｂ２を経て外部空間８１へ自動的に排出される。これによりスライド部３１も図３に示したような位置に戻るので、生ゴミ９５をゴミ袋９１ごと開口２３ｈ及び案内部２５を経由して容易に取り出すことができる。
この後は、上記の第１ステップから第４ステップを繰り返し行うことで、生ゴミ９５を効果的に押圧、圧縮し、脱水することができる。
【００２２】
以上のように、本装置１１は、一端側（矢印Ｃ側）に底部２３ａと、側面に生ゴミを受け入れる開口２３ｈと、加圧水たる上水道水が流入する流入口たる流路形成部２７ｂと、生ゴミから搾られた水分を外部に排出する排出孔２３ｋと、を有する筒状（ここでは略直円筒形状）のハウジング２１と、ハウジング２１の他端側（矢印Ｄ側）と一端側（矢印Ｃ側）との間で所定の方向（ここでは内部空間２１ａが形成する直円柱の軸）に沿ってスライド自在にハウジング２１の内部空間２１ａに配設され生ゴミを押圧するスライド部３１と、該流入口たる流路形成部２７ｂからの加圧水たる上水道水の水圧によりスライド部３１を底部２３ａに近づく方向に押しスライドさせる駆動手段（ここではスライド部３１がハウジング２１の内部空間２１ａを仕切るようにハウジング２１の内面に密接した状態でスライドするものであり、スライド部３１がハウジング２１の内部空間２１ａを仕切ることでスライド部３１の前記他端側（矢印Ｄ側）に形成される密閉空間９９が該駆動手段を構成する。）と、を備えてなる、生ゴミの脱水装置である。
【００２３】
そして、前記スライド部３１が、前記ハウジング２１の内部空間２１ａを仕切るように前記ハウジング２１の内面に密接した状態でスライドするものであり、前記ハウジング２１の内部空間２１ａを仕切ることで前記スライド部３１の前記他端側（矢印Ｄ側）に密閉空間９９が形成され、前記駆動手段が該密閉空間９９を有してなり、前記流入口たる流路形成部２７ｂからの加圧水たる上水道水が該密閉空間９９に注入されることで前記スライド部３１を前記底部２３ａに近づく方向に押しスライドさせる。
また、前記ハウジング２１の内面を形成する前記底部２３ａの面である内底面２３ａｐの傾斜角度（前記所定の方向に対する前記内底面の傾斜角度）は７５度であり（図４中、角ａｎｇ＝７５度）、内底面２３ａｐが、前記開口２３ｈに近づくにつれて前記他端側（矢印Ｄ側）に近づくような傾斜を有するものである。
さらに、前記スライド部３１を前記他端側（矢印Ｄ側）に付勢する付勢手段たる付勢部４１を有する。
【００２４】
このような本装置１１によれば、調理過程で発生する調理残さ及び残飯等のような生ゴミを、上水道水の圧力を利用して加圧することにより、生ゴミに含まれている水分を搾り減少させ、減量することができる。
即ち、生ゴミを圧縮することにより、水分を搾りとり、減量、減容することができる。この生ゴミの減量、減容により、収集、運搬、輸送のコストを節減することができる。
また、生ゴミの含水率を減らすことにより、生ゴミの取扱を容易かつ衛生的にすることができる。生ゴミを最終処分する場合、焼却するときは熱量を節減でき、またコンポスト化するときは水分調整の前処理の負荷を減らしたり前処理を不要にすることができる。
【図面の簡単な説明】
【００２５】
【図１】本発明の生ゴミの脱水装置（本装置）を示す平面図である。
【図２】本装置を示す右側面図である。
【図３】図１のＢ−Ｂ断面図である。
【図４】内底面の傾斜角度について説明する図である。
【図５】本装置の使用方法の第１ステップを示す断面図である。
【図６】本装置の使用方法の第２ステップを示す断面図である。
【符号の説明】
【００２６】
１１        本装置
２１        ハウジング
２１ａ      内部空間
２２        取付ボルト
２３        ハウジング本体
２３ａ      底部
２３ａｐ    内底面
２３ｂ      雌ねじ部
２３ｈ      開口
２３ｋ      排出孔
２４        スライド部ストッパー
２５        案内部
２７        閉塞板
２７ａ      閉塞部材
２７ｂ      流路形成部
２７ｂ１    流路部
２７ｂ２    ３方コック部
３１        スライド部
３１ａ      円盤部
３１ｂ      スカート部
３１ｂａ、３１ｂｂ  突出輪部
４１        付勢部
４１ａ      一端取付部
４１ｂ      つるまきバネ
４１ｃ      他端取付部
８１        外部空間
９１        ゴミ袋
９５        生ゴミ
９９        密閉空間
【図１】
2006314909.tif 000003
【図２】
2006314909.tif 000004
【図３】
2006314909.tif 000005
【図４】
2006314909.tif 000006
【図５】
2006314909.tif 000007
【図６】
2006314909.tif 000008